(57)【要約】【課題】  本発明の課題は、構成が簡単であると共に簡単に且つ確実に照明灯又は表示板を支柱に固定できる陳列棚及び連結具を提供することである。【解決手段】  支柱３に設けたアーム５と、アーム５間に架設する照明灯７又は表示板１０と、アーム５と照明灯７又は表示板１０とを連結する連結具９とを備え、アーム５は長手方向に係止溝部１１を有し、連結具９は係止溝部１１に係止する一方の係止部１７を有しており、照明灯７又は表示板１０が一方の係止部１７の係止位置を変更自在となるように設けた。【選択図】      図１
2005103005.tif 000002
【特許請求の範囲】
【請求項１】
支柱に設けたアームと、アーム間に架設する照明灯又は表示板と、アームと照明灯又は表示板とを連結する連結具とを備え、アームは長手方向に係止溝部を有し、連結具は係止溝部に係止する一方の係止部を有しており、照明灯又は表示板が一方の係止部の係止位置を変更自在としてあることを特徴とする陳列棚。
【請求項２】
照明灯又は表示板の枠は長手方向に係止溝部を有しており、連結具は係止溝部に係止する他方の係止部を有していることを特徴とする請求項１記載の陳列棚。
【請求項３】
連結具は、一方の係止部を取り付けた一方の保持部と、他方の係止部を取り付けた他方の保持部と、一方の保持部と他方の保持部とを連結するねじとナットとを備え、ねじの水平軸周りに回動自在に軸支されており、ねじとナットとで一方及び他方の保持部を締め付けて任意の位置で固定していることを特徴とする請求項１又は２記載の陳列棚。
【請求項４】
一方の保持部及び他方の保持部の夫々には、外周にねじ溝を有する内筒部と、内筒部の外周に螺合する外筒部とを備え、外筒部を回転させて外筒部を係止部側に移動させて、外筒部と係止部との間で係止溝部の開口部を挟持することを特徴とする請求項１乃至３のいずれかに記載の陳列棚。
【請求項５】
支柱に設けたアームと照明灯又は表示板とを連結する連結具であって、アームに設けた一方の係止溝部に係止する一方の係止部と、左右のアーム間に架設する照明灯又は表示板の枠に設けた他方の係止溝部に係止する他方の係止部と、一方の係止部を取り付けた一方の保持部と、他方の係止部を取り付けた他方の保持部と、一方の保持部と他方の保持部とを連結するねじとナットとを備え、ねじの水平軸周りに回動自在に軸支されていることを特徴とする連結具。
【発明の詳細な説明】
【技術分野】
【０００１】
本発明は、商品の陳列棚及び陳列棚に取り付ける照明灯等の連結具に関するものである。
【背景技術】
【０００２】
特許文献１には、固定アームから引き出し自在な可動アームの先端に照明灯を取り付け、可動アームを長手方向に伸縮させて、照明灯を前後方向に移動させる陳列棚が開示されている。
【０００３】
特許文献２には、照明灯に設けた磁石によって、照明灯を棚板に着脱自在に取り付ける陳列棚が開示されている。
【０００４】
【特許文献１】特開２００１−２９１８９号公報
【特許文献２】特開平１１−３２９０５６号公報
【発明の開示】
【発明が解決しようとする課題】
【０００５】
上述した特許文献１に開示の技術では、固定アームと固定アームから引き出し自在な可動アームとが２重構造となっているので、構成が複雑になるという問題があった。
【０００６】
また、特許文献２に開示の技術では、磁石によって照明灯を陳列棚に取り付けているため、照明灯を簡単且つ確実に固定することが難しいとともに、磁石を取り付ける棚板の材料が磁性体にのみ限られてしまうという問題があった。
【０００７】
そこで、本発明は、構成が簡単であると共に簡単に且つ確実に照明灯又は表示板を支柱に固定できる陳列棚及び連結具を提供することを目的とする。
【課題を解決するための手段】
【０００８】
請求項１に記載の発明は、支柱に設けたアームと、アーム間に架設する照明灯又は表示板と、アームと照明灯又は表示板とを連結する連結具とを備え、アームは長手方向に係止溝部を有し、連結具は係止溝部に係止する一方の係止部を有しており、照明灯又は表示板が一方の係止部の係止位置を変更自在としてあることを特徴とする。
【０００９】
請求項２に記載の発明は、請求項１に記載の発明において、照明灯又は表示板の枠は長手方向に係止溝部を有しており、連結具は係止溝部に係止する他方の係止部を有していることを特徴とする。
【００１０】
請求項３に記載の発明は、請求項１又は２に記載の発明において、連結具は、一方の係止部を取り付けた一方の保持部と、他方の係止部を取り付けた他方の保持部と、一方の保持部と他方の保持部とを連結するねじとナットとを備え、ねじの水平軸周りに回動自在に軸支されており、ねじとナットとで一方及び他方の保持部を締め付けて任意の位置で固定していることを特徴とする。
【００１１】
請求項４に記載の発明は、請求項１乃至３の何れかに記載の発明において、一方の保持部及び他方の保持部の夫々には、外周にねじ溝を有する内筒部と、内筒部の外周に螺合する外筒部とを備え、外筒部を回転させて外筒部を係止部側に移動させて、外筒部と係止部との間で係止溝部の開口部を挟持することを特徴とする。
【００１２】
請求項５に記載の発明は、支柱に設けたアームと照明灯又は表示板とを連結する連結具であって、アームに設けた一方の係止溝部に係止する一方の係止部と、左右のアーム間に架設する照明灯又は表示板の枠に設けた他方の係止溝部に係止する他方の係止部と、一方の係止部を取り付けた一方の保持部と、他方の係止部を取り付けた他方の保持部と、一方の保持部と他方の保持部とを連結するねじとナットとを備え、ねじの水平軸周りに回動自在に軸支されていることを特徴とする。
【発明の効果】
【００１３】
請求項１に記載の発明によれば、照明灯はアームに設けた係止溝部に沿ってスライドさせて、照明灯の位置を変更できるので、アーム自体を伸縮させる必要がなく、構成が簡単である。
【００１４】
連結具を用いて照明灯をアームの溝に係止するので、磁力で固定する場合に比べて、照明灯を確実に支柱に固定できる。
【００１５】
アームの長手方向の任意位置に照明灯を移動させることができ、適宜照明灯の位置を変えることで、陳列棚に並べた所望の商品等を照らすことができる。
【００１６】
照明灯は、枠に設けた係止溝部に連結具の係止部をスライドさせるだけで取り付けることができるので、照明灯を支柱に簡単に取り付けることができる。
【００１７】
照明灯の代わりに表示板を支柱に取り付けた場合にも、表示板を確実且つ簡単に支柱に固定できるとともに、適宜表示板の位置を変えることができる。尚、表示板とは、陳列棚に並べる商品のコマーシャル、価格、産地、効能等を示すメッセージボードのことをいう。
【００１８】
請求項２に記載の発明では、請求項１に記載の発明と同様の効果を奏するとともに、アームに取り付けた連結具の係止部に照明灯又は表示板の係止溝部を係止するだけで、照明灯又は表示板をアームに取り付けることができるので、取り付け及び取り外しが簡単である。
【００１９】
請求項３に記載の発明では、請求項１又は２に記載の発明と同様の効果を奏するとともに、ねじを緩めて他方の保持部を回動させ、任意の位置でねじを締め付けるだけで、簡単に照明灯の水平軸回りの角度を変えることができ、適宜照明灯の位置を変えることができる。
【００２０】
照明灯を水平方向及び水平軸回りで位置を変えることができるので、照明灯の多彩な配置が可能である。
【００２１】
一方の保持部及び他方の保持部はねじとナットとで締め付ける構成なので、構成が簡単である。
【００２２】
請求項４に記載の発明では、請求項１乃至３の何れかに記載の発明と同様の効果を奏するとともに、外筒部を回転させるだけで、連結具とアームとを締め付けたり緩めたりできるので、簡単且つ短時間で照明灯又は表示板の位置を変えることができる。
【００２３】
請求項５に記載の発明では、連結具の一方に係止部を有しているので、例えばアームの先端に係止溝部を設けた場合には、連結具の係止部を係止溝部に掛けるだけで、照明灯又は表示板を支柱に取り付けることができるので、取り付け及び取り外しがさらに簡単である。
【発明を実施するための最良の形態】
【００２４】
以下に本発明の実施の形態を添付図面を参照して詳細に説明する。
【００２５】
図１は図４の連結具の部分を示す斜視図であり、図２は図１の連結具を示しており、（ａ）は正面図、（ｂ）は側面図、図３は図２の連結具を分解して示す図であり、（ａ）は正面図、（ｂ）は側面図、図４は本実施の形態に係る陳列棚の一部分を示す斜視図である。
【００２６】
本実施の形態に係る陳列棚１は、左右の支柱３に設けたアーム５と、アーム５間に架設する照明灯７と、アーム５と照明灯７とを連結する連結具９とからなり、照明灯７の明かりにより陳列棚１に置かれた商品を照らしている。
【００２７】
アーム５の下面には長手方向（前後方向）に係止溝部１１を有しており、係止溝部１１は、アーム５の先端位置から支柱３の近傍位置まで連続して設けられている。また、アーム５の開口端面にはキャップ１３が着脱自在にはめ込まれており、係止溝部１１に取り付けた連結具９が開口端面から抜けるのを防止している。
【００２８】
照明灯７は、蛍光管の周りを枠体８で囲んでおり、枠体８の上面には長手方向（左右方向）に連続する係止溝部１５を有している。
【００２９】
連結具９は、アーム５の係止溝部１１に係止する略Ｔ字状の一方の係止部１７と、照明灯７の係止溝部１５に係止する略Ｔ字状の他方の係止部１９とを備えている。そして、一方の係止部１７は略円筒形状の一方の保持部２１に保持されており、他方の係止部１９は略円筒形状の他方の保持部２３に保持されている。一方の保持部２１と他方の保持部２３とはねじ２５とナット２７とで連結されており、ねじ２５の水平軸周りに回動自在となっている。
【００３０】
一方の保持部２１及び他方の保持部２３には、外周にねじ溝２８を有する内筒部２９と、内筒部２９の外周に螺合する外筒部３１を備えており、外筒部３１を回転させることにより、外筒部３１が上下方向に移動するようになっている。また、外筒部３１の外周には筒の軸方向に沿って溝３２が形成されており、溝３２の摩擦により外筒部３１を回し易くなっている。
【００３１】
内筒部２９には、円筒形状の収納部３３が形成されており、収納部３３内に係止部１７、１９を支える基部１８、２０を収納している。また、基部１８、２０にはピン３９を挿入用の挿通孔３５が貫通して形成されており、内筒部２９の周壁にも、直径方向に２つの挿通孔３７が形成されている。そして、内筒部２９の収納部３３内に係止部１７、１９の基部１８、２０を収納した状態で、内筒部２９の外側からピン３９を挿通孔３５、３７に挿通させ、係止部の基部１８、２０を収納部３３内に係止している。ピン３９は外筒部３１で隠れるので外観が良い。
【００３２】
次に、本実施の形態の作用を説明する。アーム５に取り付けた照明灯７をアーム５の長手方向（前後方向）に移動させるには、連結具９の一方の保持部２１側の外筒部３１を緩める方向に回し、連結具９とアーム５との固定を緩める。そして、照明灯７をアーム５の係止溝部１１に沿って移動させ、所定の位置で外筒部３１を締め付ける方向に回して、外筒部３１と係止部１７との間で係止溝部１１の開口部１２を挟持し、照明灯７をアーム５の所定位置に固定する。
【００３３】
照明灯７は、アーム５の係止溝部１１に沿ってスライドさせて、照明灯７の位置を変更できるので、アーム５自体を伸縮させる必要がなく、構成が簡単である。
【００３４】
連結具９を用いて照明灯７をアーム５の係止溝部１１に係止するので、磁力で固定する場合に比べて、照明灯７を確実に支柱３に固定できる。
【００３５】
アーム５の前後方向の任意位置に照明灯７を移動させることができ、適宜照明灯７の位置を変えることができる。
【００３６】
尚、照明灯７をアーム５から取り外す場合には、連結具９とアーム５との固定を緩めた状態で、照明灯７を係止溝部１１に沿ってアーム５の前方に引き出し、アーム５先端のキャップ１３を取り外せば、そのまま照明灯７をアーム５から取り外すことができる。反対に、照明灯７をアーム５の係止溝部１１に係止させて、アーム５先端にキャップ１３を装着するだけで、簡単に照明灯７をアーム５に取り付けることができる。
【００３７】
次に、アーム５に連結具９を取り付けた状態で、照明灯７のみをアーム５から取り外す場合について説明する。照明灯７を連結具９から取り外すには、アーム５の左右両方の連結具９において、外筒部３１を保持部２１側に移動させ、連結具９と照明灯７との固定を緩める。そして、照明灯７を左右の何れかの方向にずらして、照明灯７を連結具９から取り外すことができる。
【００３８】
再度、照明灯７を連結具９に取り付けるには、照明灯７の係止溝部１５を左右の何れか一方の連結具９の係止部１９に係止し、照明灯７をスライドさせて照明灯７の係止溝部１５を他方の連結具９の係止部１９に係止する。そして左右の連結具９を締め付けることで、照明灯７をアーム５に固定することができる。
【００３９】
次に、照明灯７を水平軸周りに回動する場合について説明する。照明灯７をアーム５に取り付けた状態から、照明灯７をねじの水平軸周りの上下に移動させるには、連結具９に軸支されているねじ２５を回して、一方の保持部２１と他方の保持部２３との固定を緩める。そして、連結具９の他方の保持部２３をねじ２５の水平軸回りの上方向又は下方向に任意の位置まで回動させる。そして、任意の位置でねじ２５を締め付けることにより、一方の保持部２１と他方の保持部２３とを固定する。
【００４０】
ねじ２５を緩めて他方の保持部２３を回動させ、任意の位置でねじ２５を締め付けるだけで、照明灯７の水平軸回りの角度を変えることができるので、適宜照明灯７の位置を変えることができる。
【００４１】
照明灯７を水平方向及び水平軸回りで位置を変えることができるので、照明灯７の多彩な配置が可能である。
【００４２】
ねじ２５とナット２７とで、一方及び他方の保持部２１、２３を締め付けるので、構成が簡単である。
【００４３】
次に、他の実施の形態を説明するが、その説明にあたり上述した部分と同一の作用効果を奏する部分には、同一の符号を付することにより、その部分の詳細な説明を省略し、以下の説明では、主に第１実施の形態と異なる点を説明する。
【００４４】
第２の実施の形態では、図５に示すように、アーム５の係止溝部４１の位置及び形状を変更している。アーム５の係止溝部４１は、アーム５の端面に装着するキャップ１３に形成した略Ｕ字状の切欠部４３と、アーム５上面の端面側が開口した切欠部４５とから構成される。そして、アーム５上面の切欠部４５から連結具９の一方の係止部１７を係止することで、照明灯７をアーム５に取り付けている。このように、アーム５の先端の係止溝部４１に連結具９の係止部１７を掛けるだけで、照明灯７をアーム５に取り付けることができるので、照明灯７の取り付け及び取り外しがさらに簡単である。
【００４５】
第３の実施の形態では、図６に示すように、照明灯７の代わりに陳列棚１に表示板１０を取り付けており、板状の表示板１０の上縁に係止溝部１５を設けている。この場合、表示板１０を確実且つ簡単に支柱３に固定できるとともに、適宜表示板１０の位置を変えることで、表示板１０を陳列棚１のより目立つ位置に置くことができる。尚、表示板１０とは、陳列棚１に並べる商品のコマーシャル、価格、産地、効能等を示すメッセージボードのことをいう。
【００４６】
第４の実施の形態では図７に示すように、照明灯７の代わりに四方組した表示板４７をアーム５に固定している。表示板４７の上面には、鍵穴状の係止溝部４９を４箇所形成し、これに応じて、左右のアーム５にそれぞれ２つずつの連結具９を取り付けている。
【００４７】
そして、各連結具９の係止部１９を、係止溝部４７の円形状の開口部５１から挿入し、さらに係止部１９をずらして案内部５３に係止させ、外筒部３１を回転させて表示板４７を連結具９に固定している。
【００４８】
第５の実施の形態は図９〜図１２に示すように、アーム５の左右両側に係止溝部１１を設けると共に、各係止溝部１１にそれぞれ連結具９を取り付けている。この場合、１本のアーム５に２つの連結具９を取り付けることができるので、照明灯７を複数配置する場合でも、アーム５の本数を少なくでき、低コスト化を図ることができる。また、図９及び図１１に示すように、連結具９の一方の保持部２１の水平位置とアーム５の水平位置とが略同じ位置になるので、連結具９が目立ち難く意匠性が向上する。さらに、アーム５の係止溝部１２の内部には照明灯７の配線コード２２を配線することもできる。
【００４９】
本発明は、上述のようなの実施の形態に限定されず、その要旨を逸脱しない範囲内において種々の変形が可能である。
【００５０】
第１実施の形態において、アーム５の係止溝部１１は、アーム５の側面であっても良い。
【００５１】
アーム５の係止溝部１１は、長手方向に連続しているものに限らず、アーム５の長手方向に沿って間隔を開けて係止溝部を設けたものでも良い。
【００５２】
第１及び第３実施の形態において、照明灯７に設けた係止溝部１５は、連続した直線状のものに限らず、照明灯７の左右端のみに設けても良い。
【００５３】
第２の実施の形態において、パイプ状のアーム５の先端のキャップ１３を利用して係止溝部４１を設けたが、図８に示すように略Ｌ字状に一体成形したアーム５の先端に、係止溝部４２を設けても良い。
【００５４】
第４実施の形態において、表示板４７の上面に鍵穴状の係止溝部４９を４箇所設けたが、２つであっても良い。
【図面の簡単な説明】
【００５５】
【図１】図４の連結具の一部分を示す斜視図である。
【図２】図２は図１の連結具を示す図であり、（ａ）は正面図、（ｂ）は側面図である。
【図３】図２の連結具を分解して示す図であり、（ａ）は正面図、（ｂ）は側面図である。
【図４】本実施の形態に係る陳列棚の一部分を示す斜視図である。
【図５】第２実施の形態に係る陳列棚のアーム部分と連結具を示す斜視図である。
【図６】第３実施の形態に係る表示板を示す斜視図である。
【図７】第４実施の形態に係る表示板を示す斜視図である。
【図８】第２実施の形態の変形例に係るアームを示す斜視図である。
【図９】第５実施の形態に係る陳列棚のアームと照明灯との連結部分を正面から見た断面図である。
【図１０】第５実施の形態に係る陳列棚のアームと照明灯との連結部分を示す平面図である。
【図１１】第５実施の形態に係る陳列棚のアームと照明灯との連結部分を側面から見た断面図である。
【図１２】第５実施の形態に係る陳列棚を示す側面図である。
【符号の説明】
【００５６】
１              陳列棚
３              支柱
５              アーム
７              照明灯
９              連結具
１０            表示板
１１            アームの係止溝部
１５            照明灯の係止溝部
１７            一方の係止部
１９            他方の係止部
２１            一方の保持部
２３            他方の保持部
２５            ねじ
２７            ナット
２９            内筒部
３１            外筒部
４７            表示板
【図１】
2005103005.tif 000003
【図２】
2005103005.tif 000004
【図３】
2005103005.tif 000005
【図４】
2005103005.tif 000006
【図５】
2005103005.tif 000007
【図６】
2005103005.tif 000008
【図７】
2005103005.tif 000009
【図８】
2005103005.tif 000010
【図９】
2005103005.tif 000011
【図１０】
2005103005.tif 000012
【図１１】
2005103005.tif 000013
【図１２】
2005103005.tif 000014